(57)【要約】【課題】高精度に天候を検出するとともに、周囲に注意を促すことができる提供装置および提供方法を提供すること。【解決手段】実施形態に係る提供装置は、取得部と、判定部と、提供部とを備える。取得部は、周囲の状況を検出する複数のセンサの検出結果を取得する。判定部は、取得部が取得した複数のセンサの検出結果に基づいて天候状況を判定する。提供部は、判定部によって判定された天候状況に関する天候状況情報を外部へ提供する。【選択図】図２
2020052909.tif 000002
【特許請求の範囲】
【請求項１】
周囲の状況を検出する複数のセンサの検出結果を取得するセンサ検出結果取得部と、
前記センサ検出結果取得部が取得した前記複数のセンサの検出結果に基づいて天候状況を判定する天候状況判定部と、
前記天候状況判定部によって判定された前記天候状況に関する情報である天候状況情報を外部へ提供する提供部と
を備えることを特徴とする提供装置。
【請求項２】
前記複数のセンサは、
周囲に存在する物標を検出するセンサであって、
前記天候状況判定部は、
前記複数のセンサそれぞれで検出された物標の検出結果に基づいて天候状況を判定すること
を特徴とする請求項１に記載の提供装置。
【請求項３】
車両に搭載される提供装置であって、
前記複数のセンサは、
車両が走行する道路を区画する区画線を物標として検出し、
前記天候状況判定部は、
前記複数のセンサそれぞれで検出された区画線に基づいて天候状況を判定すること
を特徴とする請求項２に記載の提供装置。
【請求項４】
前記天候状況判定部は、
前記複数のセンサそれぞれについて、前記車両から所定距離以上である遠距離に存在する前記区画線と、前記所定距離未満である近距離に存在する前記区画線との検出結果を比較した結果に基づいて天候状況を判定すること
を特徴とする請求項３に記載の提供装置。
【請求項５】
前記提供部は、
車両の周辺に存在する周辺車両搭載の車載機、または、車両が走行する道路を管理する道路管理端末へ天候状況情報を提供すること
を特徴とする請求項３または４に記載の提供装置。
【請求項６】
前記提供部は、
各センサの検出結果に付与する重みに関する重み情報を含む天候状況情報を周辺車両へ提供すること
を特徴とする請求項５に記載の提供装置。
【請求項７】
周囲の状況を検出する複数のセンサの検出結果を取得するセンサ検出結果取得工程と、
前記センサ検出結果取得工程が取得した前記複数のセンサの検出結果に基づいて天候状況を判定する天候状況判定工程と、
前記天候状況判定工程によって判定された前記天候状況に関する情報である天候状況情報を外部へ提供する提供工程と
を含むことを特徴とする提供方法。
【発明の詳細な説明】
【技術分野】
【０００１】
本発明は、提供装置および提供方法に関する。
【背景技術】
【０００２】
従来、例えば、物標等といった周囲の状況をセンサで検出し、検出結果に基づいた車両制御を実行したり、検出した物標を運転者へ通知したりする等の技術がある。上記のセンサの例として、カメラ、レーダおよびライダー（LiDAR：Laser  Imaging  Detection  and  Ranging）等がある。
【先行技術文献】
【特許文献】
【０００３】
【特許文献１】特開２０１７−１５９７８９号公報
【発明の概要】
【発明が解決しようとする課題】
【０００４】
ところで、上記したセンサは、天候の影響を受けて検出結果の精度が低下するおそれがある。また、上記したセンサを搭載していない車両の運転者にとっては、天候が急変した場合に、かかる急変に即座に対応することは容易ではない。
【０００５】
本発明は、上記に鑑みてなされたものであって、高精度に天候を検出するとともに、周囲に注意を促すことができる提供装置および提供方法を提供することを目的とする。
【課題を解決するための手段】
【０００６】
上述した課題を解決し、目的を達成するために、本発明に係る提供装置は、センサ検出結果取得部と、天候状況判定部と、提供部とを備える。前記センサ検出結果取得部は、周囲の状況を検出する複数のセンサの検出結果を取得する。前記天候状況判定部は、前記センサ検出結果取得部が取得した前記複数のセンサの検出結果に基づいて天候状況を判定する。前記提供部は、前記天候状況判定部によって判定された前記天候状況に関する情報である天候状況情報を外部へ提供する。
【発明の効果】
【０００７】
本発明によれば、高精度に天候を検出するとともに、周囲に注意を促すことができる。
【図面の簡単な説明】
【０００８】
【図１】図１は、実施形態に係る提供方法の概要を示す図である。
【図２】図２は、実施形態に係る提供装置を備えた車両の構成を示すブロック図である。
【図３】図３は、重み情報の一例を示す図である。
【図４】図４は、判定部による白線検出を用いた天候検出の処理内容を示す図である。
【図５】図５は、実施形態に係る提供装置が実行する処理の処理手順を示すフローチャートである。
【発明を実施するための形態】
【０００９】
以下、添付図面を参照して、本願の開示する提供装置および提供方法の実施形態を詳細に説明する。なお、この実施形態により本発明が限定されるものではない。
【００１０】
まず、図１を用いて、実施形態に係る提供方法の概要について説明する。図１は、実施形態に係る提供方法の概要を示す図である。図１では、実施形態に係る提供装置１は、車両Ｃに搭載され、実施形態に係る提供方法を実行する。なお、提供装置１の搭載対象は、車両に限らず、バイクや、自転車、船舶、航空機等といった他の移動体であってもよい。あるいは、提供装置１は、移動体に限らず、例えば、街灯や道路側方物（ガードレールや、信号機等）といった静止物に搭載されてもよい。
【００１１】
また、車両Ｃは、周囲の状況を検出する複数のセンサの検出結果を総合して周囲に存在する物標を検出する物標検出装置（図示せず）を備えていることとする。なお、複数のセンサには、例えば、カメラ、レーダおよびＬｉＤＡＲ（Laser  Imaging  Detection  and  Ranging）等がある。
【００１２】
また、図１では、実施形態に係る提供装置１は、車両Ｃの前方に発生した濃霧を検出し、検出した濃霧に対する注意喚起の情報である天候状況情報を外部へ提供する提供方法について説明する。
【００１３】
具体的には、実施形態に係る提供装置１は、まず、上記した複数のセンサの検出結果を取得する（ステップＳ１）。つづいて、提供装置１は、取得した複数のセンサの検出結果に基づいて車両Ｃの周囲で発生する天候状況を判定する（ステップＳ２）。
【００１４】
なお、ここでいう天候とは、濃霧や、雨、雪等といった悪天候を指す。換言すれば、提供装置１が検出する天候とは、上記したセンサの検出結果の精度を低下させる天候である。なお、天候は、昼と夜とで区別されてもよい。すなわち、提供装置１は、昼の雨および夜の雨等のように、雨という天候を昼と夜とに細分化された天候状況を判定してもよい。
【００１５】
このように、実施形態に係る提供装置１は、本来、物標の検出に用いるセンサの検出結果を利用して天候状況を判定する。なお、詳細な天候状況の判定方法については後述する。
【００１６】
つづいて、実施形態に係る提供装置１は、判定した天候状況に関する天候状況情報を道路管理者が扱う道路管理端末（道路管理サーバＳＶ）または周辺車両ＯＣ１に搭載された車載機へ提供する（ステップＳ３−１，Ｓ３−２）。
【００１７】
具体的には、実施形態に係る提供装置１は、車両Ｃが走行する道路を管理する道路管理端末に対して、例えば、天候コード等の天候状況を示す情報、車両Ｃの位置および現在時刻等を含む天候状況情報を提供する（ステップＳ２−１）。
【００１８】
これにより、例えば、道路管理者は、車両Ｃよりも後方に設置された電光掲示板等に「この先濃霧注意！」等といった注意喚起の表示を行うことができる。そして、かかる表示を見た後方の周辺車両ＯＣ２の運転者は、予め濃霧に対する準備を行うことができるため、発生した濃霧に対して戸惑うことなく対応することができる。
【００１９】
また、実施形態に係る提供装置１は、上記した物標検出装置が用いる複数のセンサそれぞれの検出結果に付与する重みを、判定した天候に応じて変更するとともに、車両Ｃの後方を走行する周辺車両ＯＣ１の物標検出装置に対して、かかる重みに関する情報（以下、重み情報と記載する場合がある）を含む天候状況情報（出願時削除※以下は、赤字下線を省略しています。）を提供する（ステップＳ２−２）。
【００２０】
これにより、例えば、周辺車両ＯＣ１に搭載された物標検出装置において、複数のセンサそれぞれの検出結果の重みを天候に合わせて変更できる。例えば、濃霧の場合には、カメラの検出結果の重みを軽くし、レーダ装置の検出結果の重みを重くする。従って、周辺車両ＯＣ１が濃霧に進入した場合であっても、濃霧に合わせて最適な重みを付与して物標検出を行うことができるため、濃霧により物標検出の精度が低下することを防ぐことができる。
【００２１】
なお、周辺車両ＯＣ１が物標検出装置を備えない場合、実施形態に係る提供装置１は、重み情報に代えて、濃霧の発生を示す天候状況情報を周辺車両ＯＣ１のナビゲーション装置等へ提供することもできる。これにより、周辺車両ＯＣ１の運転者は、予め濃霧に対する準備を行うことができるため、発生した濃霧に対して戸惑うことなく対応することができる。
【００２２】
上述したように、実施形態に係る提供方法では、複数のセンサの検出結果を用いて天候状況を判定し、天候状況情報を外部へ提供する。従って、実施形態に係る提供方法によれば、高精度に天候を検出するとともに、周囲に注意を促すことができる。
【００２３】
次に、図２を参照して、実施形態に係る提供装置１の構成について詳細に説明する。図２は、実施形態に係る提供装置１を備えた車両Ｃの構成を示すブロック図である。図２に示すように、実施形態に係る車両Ｃは、提供装置１と、物標検出装置１００とを備える。提供装置１および物標検出装置１００は、所定の車内ネットワークによって通信可能に接続され、互いに情報の送受信を行うことができる。なお、図２では、物標検出装置１００と提供装置１とが別体で構成される場合を示したが、物標検出装置１００と提供装置１とが一体的に１つの装置として構成されてもよい。
【００２４】
物標検出装置１００は、複数のセンサである、カメラ１０、レーダ装置１１およびＬｉＤＡＲ１２を備える。カメラ１０は、車両Ｃの外部状況を撮像する撮像装置である。カメラ１０は、例えば、車両Ｃのフロントガラスに設けられ、車両Ｃの前方を撮像する。なお、カメラ１０は、車両Ｃの左右側面を撮像する位置および車両Ｃの後方を撮像する位置に設けられていてもよい。物標検出装置１００は、カメラ１０の画像を解析することで、車両Ｃの周囲に存在する物標を検出する。
【００２５】
レーダ装置１１は、ミリ波等の電波を利用して車両Ｃの周辺の物標を検出する。具体的には、レーダ装置１１は、電波を車両Ｃの周辺に送信し、物標で反射した反射波を受信することで物標を検出する。
【００２６】
ＬｉＤＡＲ１２は、レーザー光を利用して車両Ｃの周囲の物標を検出する。具体的には、ＬｉＤＡＲ１２は、レーザー光を車両Ｃの周辺に送信し、物標で反射された反射光を受信することで物標を検出する。
【００２７】
物標検出装置１００は、カメラ１０、レーダ装置１１およびＬｉＤＡＲ１２それぞれの検出結果を総合して最終的な物標を検出する。具体的には、物標検出装置１００は、各センサの検出結果に所定の重みを付与した結果に基づいて最終的な物標を検出する。なお、かかる重みは、提供装置１により提供されるが、詳細については後述する。
【００２８】
実施形態に係る提供装置１は、制御部２と、記憶部３とを備える。制御部２は、取得部２０（センサ検出結果取得部の一例）、判定部２１（天候状況判定部の一例）、決定部２２および提供部２３を備える。記憶部３は、重み情報３１を記憶する。
【００２９】
ここで、提供装置１は、たとえば、ＣＰＵ（Central  Processing  Unit）、ＲＯＭ（Read  Only  Memory）、ＲＡＭ（Random  Access  Memory）、データフラッシュ、入出力ポートなどを有するコンピュータや各種の回路を含む。
【００３０】
コンピュータのＣＰＵは、たとえば、ＲＯＭに記憶されたプログラムを読み出して実行することによって、制御部２の取得部２０、判定部２１、決定部２２および提供部２３として機能する。
【００３１】
また、制御部２の取得部２０、判定部２１、決定部２２および提供部２３の少なくともいずれか一つまたは全部をＡＳＩＣ（Application  Specific  Integrated  Circuit）やＦＰＧＡ（Field  Programmable  Gate  Array）等のハードウェアで構成することもできる。
【００３２】
また、記憶部３は、たとえば、ＲＡＭやデータフラッシュに対応する。ＲＡＭやデータフラッシュは、重み情報３１や、各種プログラムの情報等を記憶することができる。なお、提供装置１は、有線や無線のネットワークで接続された他のコンピュータや可搬型記録媒体を介して上記したプログラムや各種情報を取得することとしてもよい。
【００３３】
重み情報３１は、物標検出装置１００の物標検出処理に用いる重みに関する情報である。重み情報３１には、複数のセンサそれぞれに割り当てられた重みに関する情報が含まれる。図３は、重み情報３１の一例を示す図である。
【００３４】
図３に示すように、重み情報３１は、「センサＩＤ」、「センサ名」および「重み」といった項目が対応付けられる。「センサＩＤ」は、各センサを識別する識別情報である。「センサ名」は、センサの名称である。「重み」は、物標検出処理の際にセンサの検出結果に付与する重みを示す情報である。「重み」は、後述の提供部２３によって、天候に応じて決定された重みが入力される。
【００３５】
なお、図３では、それぞれのセンサが１つの場合について示したが、例えば、同じセンサ名のセンサが複数搭載される場合には、各センサにセンサＩＤが割り当てられてもよい。つまり、複数のカメラが搭載される場合、複数のカメラそれぞれにセンサＩＤおよび重みが割り当てられてもよい。
【００３６】
制御部２は、周囲の状況を検出する複数のセンサ（例えば、カメラ１０、レーダ装置１１およびＬｉＤＡＲ１２）の検出結果に基づいて天候状況を判定し、判定した天候状況に関する情報である天候状況情報を提供する。
【００３７】
取得部２０は、周囲の状況を検出する複数のセンサの検出結果を取得する。例えば、取得部２０は、カメラ１０、レーダ装置１１およびＬｉＤＡＲ１２それぞれから検出結果を取得する。検出結果は、例えば、物標に関する情報（物標の有無、相対速度や位置等の情報）であってもよく、あるいは、カメラ１０の画像等のような物標検出に用いられる元データであってもよい。
【００３８】
判定部２１（出願時削除※以下は、赤字下線を省略しています。）は、取得部２０が取得した複数のセンサの検出結果に基づいて天候状況を判定する。具体的には、判定部２１は、複数のセンサそれぞれで検出された物標の検出結果に基づいて天候状況を判定する。
【００３９】
例えば、判定部２１は、同一の物標について、カメラ１０の画像およびＬｉＤＡＲ１２からは物標が検出されず、レーダ装置１１からは物標が検出された場合、天候状況が悪天候であることと判定する。かかる場合、さらに、判定部２１は、例えば、カメラ１０のレンズに付着した付着物に基づいて悪天候の種別を判別する。
【００４０】
すなわち、判定部２１は、カメラ１０の画像に基づいてレンズに雨滴が付着していた場合、かかる悪天候は雨であると判定する。また、判定部２１は、カメラ１０の画像に基づいてカメラ１０のレンズが雪埋もれであることを検出した場合、悪天候は雪であると判定する。そして、判定部２１は、レンズに付着物が付着していない、または、霧状の水滴が付着していた場合、悪天候が濃霧であると判定する。
【００４１】
なお、判定部２１は、カメラ１０、レーダ装置１１およびＬｉＤＡＲ１２それぞれで同一の物標が検出された場合、天候状況が晴れであると判定する。このように、物標の検出結果に基づいて天候状況を判定することで、精度良く天候を検出することができる。
【００４２】
また、判定部２１は、物標として例えば、白線等の車両Ｃが走行する道路を区画する区画線の検出結果に基づいて天候状況を判定することができる。かかる点について、図４を用いて説明する。
【００４３】
図４は、判定部２１による白線検出を用いた天候状況判定の処理内容を示す図である。図４では、車両Ｃが直進走行（操舵角が略ゼロ）する道路の左右を区画する実線の区画線Ｌを示している。なお、区画線Ｌは、実線に限らず、破線等の断続的な区画線であってもよい。また、区画線Ｌは、白線であってもよく、黄線であってもよい。また、図４では、区画線Ｌの白線（あるいは黄線）の劣化度合いが等しく、区画線Ｌのかすれや汚れは同一であることとする。
【００４４】
なお、区画線Ｌの存在は、各センサの検知データに基づく画像認識処理や、ナビゲーション装置の地図データ（地図データに含まれる区画線データ）と自車位置データによる区画線位置判定処理等により判定できる。
【００４５】
図４に示すように、判定部２１は、まず、複数のセンサそれぞれで検出された区画線Ｌの検出結果を取得する。つづいて、判定部２１は、複数のセンサそれぞれで検出された区画線Ｌに基づいて天候状況を判定する。
【００４６】
具体的には、図４に示すように、判定部２１は、複数のセンサそれぞれについて、車両Ｃから所定距離以上である遠距離に存在する区画線Ｌと、車両Ｃから所定距離未満である近距離に存在する区画線Ｌとの検出結果を比較した結果に基づいて天候を検出する。
【００４７】
例えば、判定部２１は、カメラ１０およびＬｉＤＡＲ１２については近距離の区画線Ｌのみ検出、あるいは、遠距離の区画線Ｌの検出精度が所定の閾値以下で著しく低い、一方で、レーダ装置１１については近距離および遠距離双方の区画線Ｌが検出された場合、天候状況が濃霧であると判定する。これは、濃霧が発生した場合、遠距離の視認性が低下することを利用した判定方法である。このような判定方法により、濃霧を精度良く判定することができる。
【００４８】
なお、区画線Ｌの検出精度は、区画線の画像処理で得られるエッジ（コントラストが急変する部分（物体境界における画像の区切れ部分））の連続性（区画線存在位置におけるエッジ直線の長さ：直線路の区画線の場合、精度が高いと長い直線となり、精度が低いと細かく分断された直線となる）やエッジ強度（コントラスト強度）の変化（直線路の区画線の場合、精度が高いとエッジ強度が高く安定した直線となり、精度が低いとエッジ強度が低く不安定な直線となる）、等により検出できる。
【００４９】
また、例えば、判定部２１は、カメラ１０およびＬｉＤＡＲ１２について近距離の区画線Ｌの認識精度よりも遠距離の区画線Ｌの認識精度が低く、一方で、レーダ装置１１について近距離および遠距離双方の区画線Ｌの認識精度が同程度である場合、天候状況が雨であると判定する。これは、雨が降っている場合、濃霧のように遠距離の区画線Ｌが検出できない状況とは異なり、遠距離の区画線Ｌについてもある程度は検出できることを利用した判定方法である。このような判定方法により、雨を精度良く検出することができる。
【００５０】
また、例えば、判定部２１は、カメラ１０について近距離および遠距離双方の区画線Ｌが検出されず、レーダ装置１１およびＬｉＤＡＲ１２について近距離および遠距離双方の区画線Ｌが検出された場合、天候状況は晴れでかつ逆光である、あるいは夜であることを判定する。なお、晴れの逆光か夜かは、時刻情報を取得することで判別可能である。これは、逆光や夜では、カメラ１０の画像が白または黒の画像となってしまい、物標を検出できないことを利用した判定方法である。これにより、晴れの逆光および夜を精度良く検出することができる。
【００５１】
このような天候判別は各センサの出力状態と天候の関係を示すテーブルを用いた処理により実現することができ、また天候の判別種別は提供する天候情報種別や天候情報を用いる処理装置等に応じて設定すれば良い。
【００５２】
なお、判定部２１は、例えば、夜の場合には、車両Ｃのライトが点灯するため、かかるライトによる影響を加味して上記の判定方法を実行することが好ましい。このように、複数のセンサそれぞれの検出結果について、近距離の区画線Ｌと遠距離の区画線Ｌとの検出結果を比較することで、天候状況を精度良く判定することができる。
【００５３】
また、図４では、区画線Ｌの検出結果を２種類（近距離および遠距離）に分けて比較したが、所定距離毎に分ける、つまり、検出結果を３種類以上に分けて比較してもよい。
【００５４】
図２に戻って決定部２２について説明する。決定部２２は、判定部２１によって判定された天候状況に基づいて物標検出装置１００の物標検出処理における複数のセンサそれぞれに割り当てる重みを決定する。
【００５５】
例えば、決定部２２は、判定部２１によって濃霧が判定された場合、物標検出処理におけるカメラ１０およびＬｉＤＡＲ１２の検出結果の重みをレーダ装置１１の検出結果の重みよりも軽くする。これにより、濃霧が発生時には、レーダ装置１１の検出結果をカメラ１０およびＬｉＤＡＲ１２の検出結果よりも重視した物標検出処理を行うため、物標の検出精度が低下することを防ぐことができる。
【００５６】
また、決定部２２は、判定部２１によって雨または雪が判定された場合、カメラ１０およびＬｉＤＡＲ１２の検出結果の重みをレーダ装置１１の検出結果の重みよりも軽くする。これにより、雨または雪が発生時には、レーダ装置１１の検出結果をカメラ１０およびＬｉＤＡＲ１２の検出結果よりも重視した物標検出処理を行うため、物標の検出精度が低下することを防ぐことができる。
【００５７】
決定部２２は、決定した各センサの重みに関する情報を重み情報３１として記憶部３に記憶するとともに、かかる重みに関する情報を提供部２３へ出力する。
【００５８】
提供部２３は、判定部２１によって検出された天候状況に関する天候状況情報天候状況情報を外部へ提供する。
【００５９】
例えば、提供部２３は、車両Ｃの周辺に存在する周辺車両ＯＣ１へ天候状況情報を提供する。具体的には、提供部２３は、車両Ｃがいる位置（悪天候発生位置）をこれから通過する予定の周辺車両ＯＣ１へ天候状況情報を提供する。
【００６０】
なお、かかる場合の天候状況情報は、周辺車両ＯＣ１が物標検出装置１０１を搭載しているか否かで内容を変えることが好ましい。具体的には、周辺車両ＯＣ１が物標検出装置１０１を搭載している場合、提供部２３は、決定部２２によって決定された重み情報３１を含む天候状況情報を周辺車両ＯＣ１へ提供する。
【００６１】
これにより、周辺車両ＯＣ１の物標検出装置１０１は、予め濃霧に対応した重みに設定変更できるため、濃霧進入時において物標の検出精度が低下することを防止できる。
【００６２】
なお、提供部２３は、周辺車両ＯＣ１へ重み情報３１を提供する場合に限らず、例えば、悪天候を検出した際の各センサの検出結果をそのまま天候状況情報として提供してもよい。かかる場合、周辺車両ＯＣ１の物標検出装置１０１は、天候状況情報に含まれる各センサの検出結果に基づいて、自己のセンサそれぞれに割り当てる重みを決定することができる。
【００６３】
一方、周辺車両ＯＣ１が物標検出装置１０１を搭載していない場合、提供部２３は、天候の種別（例えば、濃霧や雨、雪等）、車両Ｃの位置、現在時刻等を含む天候状況情報を提供する。これにより、天候状況情報を受信した周辺車両ＯＣ１の運転者は、予め悪天候に対する準備を行うことができるため、悪天候の発生に戸惑うことなく対応することができる。
【００６４】
また、提供部２３は、周辺車両ＯＣ１以外に、例えば、車両Ｃが走行する道路を管理する道路管理者が扱う道路管理端末（道路管理サーバＳＶ）へ天候状況情報を提供してもよい。具体的には、提供部２３は、天候の種別（例えば、濃霧や雨、雪等）、車両Ｃの位置、現在時刻等を含む天候状況情報を提供する。これにより、例えば、道路管理者は、車両Ｃよりも後方に設置された電光掲示板等に悪天候に対する注意喚起の表示を行うことができる。
【００６５】
次に、図５を用いて、実施形態に係る提供装置１が実行する処理の処理手順について説明する。図５は、実施形態に係る提供装置１が実行する処理の処理手順を示すフローチャートである。
【００６６】
図５に示すように、まず、取得部２０は、物標検出装置１００から周囲の状況を検出する複数のセンサの検出結果を取得する（ステップＳ１０１）。つづいて、判定部２１は、取得した検出結果に基づいて天候状況を判定する（ステップＳ１０２）。
【００６７】
つづいて、提供部２３は、判定部２１によって判定された天候状況が悪天候であるか否かを判定する（ステップＳ１０３）。提供部２３は、判定部２１によって判定された天候状況が悪天候である場合（ステップＳ１０３，Ｙｅｓ）、周辺車両ＯＣ１へ天候状況情報の提供を行うか否かを判定する（ステップＳ１０４）。
【００６８】
提供部２３は、周辺車両ＯＣ１へ天候状況情報の提供を行う場合（ステップＳ１０４，Ｙｅｓ）、決定部２２によって決定された各センサの重みに関する重み情報３１を含む天候状況情報を周辺車両ＯＣ１へ提供する（ステップＳ１０５）。つづいて、提供部２３は、天候の種別や、車両Ｃの位置、現在時刻等を含む天候状況情報を道路管理サーバＳＶへ提供し（ステップＳ１０６）、処理を終了する。
【００６９】
一方、ステップＳ１０３において、提供部２３は、判定部２１によって判定された天候状況が悪天候ではない場合（ステップＳ１０３，Ｎｏ）、すなわち天候が晴れである場合、外部へ天候状況情報の提供を行わず、処理を終了する。
【００７０】
また、ステップＳ１０４において、提供部２３は、周辺車両ＯＣ１へ天候状況情報の提供を行わない場合（ステップＳ１０４，Ｎｏ）、ステップＳ１０６へ移行する。
【００７１】
上述してきたように、実施形態に係る提供装置１は、取得部２０と、判定部２１と、提供部２３とを備える。取得部２０は、周囲の状況を検出する複数のセンサの検出結果を取得する。判定部２１は、取得部２０が取得した複数のセンサの検出結果に基づいて天候状況を判定する。提供部２３は、判定部２１によって判定された天候状況に関する天候状況情報を外部へ提供する。これにより、高精度に天候を検出するとともに、周囲に注意を促すことができる。
【００７２】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７３】
１    提供装置
２    制御部
３    記憶部
１０    カメラ
１１    レーダ装置
１２    ＬｉＤＡＲ
２０    取得部
２１    判定部
２２    決定部
２３    提供部
３１    重み情報
１００、１０１    物標検出装置
Ｃ    車両
Ｌ    区画線
ＯＣ１、ＯＣ２    周辺車両
【図１】
2020052909.tif 000003
【図２】
2020052909.tif 000004
【図３】
2020052909.tif 000005
【図４】
2020052909.tif 000006
【図５】
2020052909.tif 000007